(57)【要約】      （修正有）【課題】スマートフォンの液晶画面の破損や背面の擦り傷等を防止する衝撃吸収フィルムを容易にかつ綺麗に貼り付けることを可能とするスマートフォンの保護フィルムセットを提供する。【解決手段】スマートフォンの保護フィルムセットは、衝撃吸収フィルムおよび２枚の保護フィルムからなるフィルム積層体と、スマートフォンの外周に衝撃吸収フィルムを貼り付ける際に使用する位置決め用ガイド２とによって構成されている。位置決め用ガイド２は、表面用位置決めガイド７と裏面用位置決めガイド８とからなり、表面用位置決め用ガイド７には、フィルム積層体の外形、両面テープの貼り付け位置、スマートフォンのホームボタンおよびスピーカーの位置・形状を示す線が印刷されており、裏面用位置決め用ガイド８には、フィルム積層体の外形、両面テープ貼り付け位置、カメラレンズの位置・形状を示す線が印刷されている。【選択図】図２
2016208138.tif 000002
【特許請求の範囲】
【請求項１】
透明な合成樹脂製で裏面に粘着層が設けられたスマートフォンの表面を保護するための衝撃吸収フィルム、および、その衝撃吸収フィルムの表面および裏面に貼着された２枚の保護シートによって構成されたフィルム積層体と、
スマートフォンの表面に衝撃吸収フィルムを貼る際に使用する位置決め用ガイドとからなり、
前記位置決め用ガイドが、透明な合成樹脂製でシート状の基材に、スマートフォンの外形および／またはスマートフォンの所定の部材の形状または位置を示す線を表示したものであることを特徴とするスマートフォンの保護フィルムセット。
【請求項２】
前記位置決め用ガイドが、表面用位置決めガイドと裏面用位置決めガイドとからなり、
表面用位置決めガイドには、両面テープの貼り付け位置、スマートフォンのホームボタンおよび／またはスピーカーの位置および形状を示す線が表示されており、
裏面用位置決めガイドには、両面テープの貼り付け位置、スマートフォンのカメラレンズの位置および形状を示す線が表示されていることを特徴とする請求項１に記載のスマートフォンの保護フィルムセット。
【請求項３】
前記衝撃吸収フィルムが、ＰＥＴからなる衝撃吸収層の表面にハードコート層を積層し、裏面にシリコンからなる粘着層を積層したものであることを特徴とする請求項１、または請求項２に記載のスマートフォンの保護フィルムセット。
【請求項４】
前記フィルム積層体の少なくとも一端に、切り離し可能なハンドル部が付加されていることを特徴とする請求１〜３のいずれかに記載のスマートフォンの保護フィルムセット。
【発明の詳細な説明】
【技術分野】
【０００１】
本発明は、スマートフォンの外周に貼ることにより落下時の衝撃や擦れ傷等から保護するための衝撃吸収フィルム、および、その衝撃吸収フィルムを誰でも容易にスマートフォン表面に貼ることを可能とする付属部品からなるスマートフォンの保護フィルムセットに関するものである。
【背景技術】
【０００２】
近年の通信機器におけるＩＴ技術の発達により、旧来型携帯電話（いわゆるガラケー）からスマートフォン（いわゆるスマホ）への移行が益々加速している。スマートフォンは旧来型携帯電話よりも多機能、かつ、高性能であるが、旧来型携帯電話との比較において大きな面積を占める液晶画面等が衝撃によって壊れ易い、という難点を有している。たとえば、硬い床面にスマートフォンを落としただけで、液晶画面のガラスがバリバリに割れてしまうような事態が生じる。そのため、スマートフォン専用のスマホケース等を別途購入してスマートフォン全体をカバーしたり、スマートフォンの液晶画面に、衝撃を吸収するための保護フィルム（衝撃吸収フィルム）を貼る等の対策を講じる必要がある。
【０００３】
そのようにスマートフォン等の電子機器の液晶画面に貼る保護フィルム（衝撃吸収フィルム）としては、特許文献１の如く、保護フィルムと液晶画面との間に気泡を残存させずに綺麗に貼り付けるべく、保護フィルムの裏面に設ける粘着層に溝を設けた表示パネル保護フィルムが知られている。
【先行技術文献】
【特許文献】
【０００４】
【特許文献１】特開２０１３−２１８１８８号公報
【発明の概要】
【発明が解決しようとする課題】
【０００５】
しかしながら、特許文献１の表示パネル保護フィルムも、フィルムが透明であることから位置関係を確認し難いため、うまく位置合わせすることができず、何度も貼り直さなければならない事態が起こることもあり、貼り付け作業の時間短縮に寄与するものではなかった。また、作業に熟練したものでなければ、液晶画面との間に気泡を残存させないように綺麗に貼り付けることができなかった。
【０００６】
本発明の目的は、スマートフォンの外周を保護するための衝撃吸収フィルムを作業の習熟度に拘わらず誰でも容易にかつ綺麗に貼り付けることを可能とするスマートフォンの保護フィルムセットを提供することにある。
【課題を解決するための手段】
【０００７】
上記課題を解決するために、請求項１に記載された発明は、透明な合成樹脂製で裏面に粘着層が設けられたスマートフォンの表面を保護するための衝撃吸収フィルム、および、その衝撃吸収フィルムの表面および裏面に貼着された２枚の保護シートによって構成されたフィルム積層体と、スマートフォンの表面に前記衝撃吸収フィルムを貼る際に使用する位置決め用ガイドとからなり、前記位置決め用ガイドが、透明な合成樹脂製でシート状の基材に、スマートフォンの外形および／またはスマートフォンの所定の部材の形状または位置を示す線を表示したものであることを特徴とするものである。
【０００８】
請求項２に記載された発明は、請求項１に記載された発明において、前記位置決め用ガイドが、表面用位置決めガイドと裏面用位置決めガイドとからなり、表面用位置決めガイドには、両面テープの貼り付け位置、スマートフォンのホームボタンおよび／またはスピーカーの位置および形状を示す線が表示されており、裏面用位置決めガイドには、両面テープの貼り付け位置、スマートフォンのカメラレンズの位置および形状を示す線が表示されていることを特徴とするものである。
【０００９】
請求項３に記載された発明は、請求項１、または請求項２に記載された発明において、前記衝撃吸収フィルムが、ＰＥＴからなる衝撃吸収層の表面にハードコート層を積層し、裏面にシリコンからなる粘着層を積層したものであることを特徴とするものである。
【００１０】
請求項４に記載された発明は、請求項１〜３のいずれかに記載された発明において、前記フィルム積層体の少なくとも一端に、切り離し可能なハンドル部が付加されていることを特徴とするものである。
【発明の効果】
【００１１】
請求項１に記載のスマートフォンの保護フィルムセットによれば、スマートフォンに衝撃吸収フィルムを貼り付ける作業をする際に、スマートフォンの外形あるいは所定の部材の形状または位置を示す線が明確に表示された位置決め用ガイドを、衝撃吸収フィルムおよび表裏の保護シートからなるフィルム積層体の表面側に貼り合わせ、フィルム積層体の裏面の保護シートを剥がした状態で、位置決め用ガイドに表示されたスマートフォンの外形あるいは所定の部材の形状または位置を示す線を、スマートフォンの輪郭あるいは所定の部材に合わせることによって、（衝撃吸収フィルム自体が透明であるにも拘わらず）正確に位置合わせをすることができる。したがって、請求項１のスマートフォンの保護フィルムセットによれば、衝撃吸収フィルムを、作業の習熟度に拘わらず誰でも短時間の内に容易にかつ綺麗にスマートフォンの外周（表面、裏面、側面等）に貼り付けることが可能となる。
【００１２】
請求項２に記載のスマートフォンの保護フィルムセットは、位置決め用ガイドが表面用位置決めガイドと裏面用位置決めガイドとからなるものであるので、当該スマートフォンの保護フィルムセットによれば、スマートフォンの表面のみならず、裏面にも、衝撃吸収フィルムを容易にかつ綺麗に貼り付けることが可能となる。また、表面用位置決めガイドと裏面用位置決めガイドとは、表示されている線が異なるので、衝撃吸収フィルムを表裏間違えて貼ってしまう事態を防止することができる。
【００１３】
請求項３に記載のスマートフォンの保護フィルムセットは、衝撃吸収フィルムが衝撃吸収層によって効果的に衝撃を吸収する上、ハードコート層によって摩擦による損傷を低く抑えることができる。その上、衝撃吸収フィルムをスマートフォンの外周に貼り付ける際に、シリコンからなる粘着層の自己吸着機能によって、存在する気泡を一定時間内に消失させて綺麗な貼り付け状態を提供することができる。
【００１４】
請求項４に記載のスマートフォンの保護フィルムセットは、スマートフォンの外周に衝撃吸収フィルムを貼る際に、ハンドル部を持ちながら（衝撃吸収フィルムに触れることなく）作業を行うことができるため、衝撃吸収フィルムにゴミや指紋を付着させず、より綺麗な貼り付け状態を提供することができる。
【図面の簡単な説明】
【００１５】
【図１】スマートフォンの保護フィルムセットの内のフィルム積層体を示す説明図である（ａは正面図であり、ｂは斜視図であり、ｃはａにおけるＡ−Ａ線断面であり、ｄはａにおけるＢ−Ｂ線断面である）。
【図２】スマートフォンの保護フィルムセットの内の位置決め用ガイドを示す説明図である（ａは表面用位置決めガイドであり、ｂは裏面用位置決めガイドである）。
【図３】衝撃吸収フィルムをスマートフォンの表面に貼り付ける際の作業手順を示す説明図である。
【発明を実施するための形態】
【００１６】
＜スマートフォンの保護フィルムセットの構成＞
以下、本発明に係るスマートフォンの保護フィルムセットの一実施形態について、図面に基づいて詳細に説明する。本発明に係るスマートフォンの保護フィルムセットは、スマートフォンの液晶画面を保護するための衝撃吸収フィルム、および、その衝撃吸収フィルムの表面および裏面に貼着された２枚の保護シートによって構成されるフィルム積層体と、スマートフォン表面に衝撃吸収フィルムを貼る際に使用する位置決め用ガイドとによって構成されている。
【００１７】
図１は、フィルム積層体（スマートフォンの液晶画面側へ貼り付けるもの）を示したものであり、フィルム積層体５は、スマートフォンの液晶画面を保護するための衝撃吸収フィルム１と、（スマートフォンに貼り付ける前の）衝撃吸収フィルム１の表面を保護するための表面保護シート３と、（スマートフォンに貼り付ける前の）衝撃吸収フィルム１の裏面（粘着層面）を保護するための接着面保護シート４とからなる。衝撃吸収フィルム１は、厚さ約２５μｍのポリエチレンテレフタレート（ＰＥＴ）製のフィルム（衝撃吸収層８）であり、表面には、アクリル樹脂製のハードコート層が積層されており、裏面には、シリコンからなる粘着層が積層されている。加えて、衝撃吸収フィルム１の表面には、スマートフォンの液晶画面に貼り付けた場合に、埃等が付着しにくいように帯電防止処理が施されている。
【００１８】
一方、表面保護シート３は、厚さ約２０μｍのＰＥＴ製のフィルムであり、接着面保護シート４は、厚さ約４０μｍのＰＥＴ製のフィルムである。フィルム積層体５は、衝撃吸収フィルム１の表面に表面保護シート３を積層し、裏面に接着面保護シート４を積層した状態で加圧し、スマートフォンの液晶画面の外形を模った形状に裁断することによって形成されている。
【００１９】
また、フィルム積層体５は、スマートフォンのホームボタンおよびスピーカーの位置に相当する位置が、それぞれ、ホームボタンの形状、スピーカーの形状に打ち抜かれている。さらに、フィルム積層体５のスマートフォンの液晶画面の外形を模った部分の上下には、一定幅の帯状のハンドル部６，６が設けられている。そして、スマートフォンの液晶画面の外形を模った部分と上下のハンドル部との間には、それぞれ、切り込みが設けられている。当該切れ込みは、図１（ｄ）の如く、接着面保護シート４側から、衝撃吸収フィルム１の厚み方向の略中央まで至っており、後述するように、衝撃吸収フィルム１をスマートフォンの液晶画面に貼り付けた後に、ハンドル部６，６を手によって切り取ることができるようになっている。
【００２０】
一方、スマートフォンの裏面側へ貼り付けるフィルム積層体（図示せず）は、スマートフォンの裏面および側面に貼り付ける部分を有しているため、スマートフォンの液晶画面側へ貼り付けるフィルム積層体５よりも一回り大きく形成されているが、スマートフォンの液晶画面側へ貼り付けるフィルム積層体５と同様な層構造を有しており、スマートフォンの液晶画面側へ貼り付けるフィルム積層体５と同様に、上下にハンドル部６，６が設けられており、切れ込みが設けられている。また、スマートフォンの液晶画面側へ貼り付けるフィルム積層体５とは異なり、スマートフォンのカメラレンズの位置に相当する位置が、カメラレンズの形状に打ち抜かれている。
【００２１】
また、図２は、スマートフォンの外周に衝撃吸収フィルム１を貼る際に使用する位置決め用ガイド２を示したものであり、位置決め用ガイド２は、表面用（液晶画面用）位置決めガイド７と裏面用位置決めガイド８とからなる。表面用位置決めガイド７、裏面用位置決めガイド８とも、厚さ約５０μｍのＰＥＴ製のフィルムであり、位置合わせをする際の作業性を考慮して、衝撃吸収フィルム１、表面保護シート３および接着面保護シート４よりも厚くなっている（硬くて折れにくくなっている）。
【００２２】
また、表面用位置決めガイド７は、スマートフォンの液晶画面側へ貼り付けるフィルム積層体５よりも、左右上下とも一回り大きく（左右では、それぞれ約７ｍｍ長く、上下では、それぞれ約３ｍｍ長く）形成されている。一方、裏面用位置決めガイド８は、スマートフォンの裏面側へ貼り付けるフィルム積層体５よりも、左右上下とも一回り大きく（左右では、それぞれ約７ｍｍ長く、上下では、それぞれ約３ｍｍ長く）形成されている。
【００２３】
そして、表面用位置決め用ガイド７には、スマートフォンの液晶画面側へ貼り付けるフィルム積層体５の外形、両面テープの貼り付け位置、スマートフォンのホームボタンの位置・形状、スマートフォンのホームボタンおよびスピーカーの位置・形状を示す線が印刷（オフセット印刷）されている。一方、裏面用位置決め用ガイド８には、スマートフォンの裏面側へ貼り付けるフィルム積層体の外形、両面テープの貼り付け位置、カメラレンズの位置・形状を示す線が印刷（オフセット印刷）されている。
【００２４】
＜スマートフォンの保護フィルムセットの使用方法＞
図３は、本発明に係るスマートフォンの保護フィルムセットを用いて、フィルム積層体５の衝撃吸収フィルム１をスマートフォンの外周に貼り付ける際の作業手順を示したものである。スマートフォンの外周に衝撃吸収フィルム１を貼り付ける作業の準備として、位置決め用ガイド２の所定の位置（図２において、「両面テープ貼り付け位置」と表示された位置）に両面テープを貼り付ける。しかる後に、それらの両面テープの離型紙を剥がして、位置決め用ガイド２を、フィルム積層体５（すなわち、衝撃吸収フィルム１、表面保護シート３および接着面保護シート４）の上に、印刷されたホームボタンおよびスピーカーを模った線をフィルム積層体５の外形、および、ホームボタンの打ち抜き形状、スピーカーの打ち抜き形状に合わせるようにして貼り付ける。
【００２５】
さらに、スマートフォンの表面に付着した汚れや埃を、クリーニングクロス等を使用して良く拭き取った後に、位置決め用ガイド２と一体になっているフィルム積層体５から、接着面保護シート４を剥がし取る。そして、図３（ａ）の如く、その位置決め用ガイド２およびフィルム積層体５（すなわち、衝撃吸収フィルム１および表面保護シート３）を、スマートフォンの本体に対して、位置決め用ガイド２に印刷されたホームボタンおよびスピーカーの線をスマートフォン本体のホームボタンおよびスピーカーに合わせるようにして位置合わせする。
【００２６】
上記の如く位置合わせした後には、フィルム積層体５（すなわち、衝撃吸収フィルム１および表面保護シート３）の端部を、スマートフォン本体の液晶画面の端部に貼り付けてから、位置決め用ガイド２をフィルム積層体５から取り外す（図３（ｂ）の状態）。そして、フィルム積層体５（衝撃吸収フィルム１および表面保護シート３）を、ヘラ等を使用して、スマートフォンとの接着面にできるだけ空気が入らないようにしながら端部から反対側の端部に向かって接着していく。かかる作業が完了した後に、図３（ｃ）の如く、表面保護シート３を衝撃吸収フィルム１から剥がす。最後に、衝撃吸収フィルム１のハンドル部６，６を液晶画面を模った部分から切り離すことによって、衝撃吸収フィルム１のスマートフォン本体の液晶画面への貼り付け作業を完了する。
【００２７】
＜スマートフォンの保護フィルムセットの効果＞
上記実施形態のスマートフォンの保護フィルムセットは、衝撃吸収フィルム１、および、その衝撃吸収フィルム１の表面および裏面に貼着された保護シート（表面保護シート３、接着面保護シート４）によって構成されたフィルム積層体５と、スマートフォンの外周に衝撃吸収フィルム１を貼る際に使用する位置決め用ガイド２とからなり、位置決め用ガイド２が、透明な合成樹脂製でシート状の基材に、スマートフォンの外形およびスマートフォンの所定の部材の形状または位置を示す線を表示したものである。
【００２８】
したがって、上記実施形態のスマートフォンの保護フィルムセットによれば、スマートフォンに衝撃吸収フィルム１を貼り付ける作業をする際に、スマートフォンの外形あるいは所定の部材の形状または位置を示す線が明確に表示された位置決め用ガイド２を、衝撃吸収フィルム１および表裏の保護シート（表面保護シート３、接着面保護シート４）からなるフィルム積層体５の表面側に貼り合わせ、フィルム積層体５の裏面の保護シート（表面保護シート３）を剥がした状態で、位置決め用ガイド２に表示されたスマートフォンの外形あるいは所定の部材の形状または位置を示す線を、スマートフォンの輪郭あるいは所定の部材に合わせることによって、（衝撃吸収フィルム自体が透明であるにも拘わらず）正確に位置合わせをすることができる。したがって、上記実施形態のスマートフォンの保護フィルムセットによれば、衝撃吸収フィルム１を、作業の習熟度に拘わらず誰でも短時間の内に容易にかつ綺麗にスマートフォンの外周（表面、裏面、側面等）に貼り付けることができる。
【００２９】
また、上記実施形態のスマートフォンの保護フィルムセットは、位置決め用ガイド２が、表面用位置決めガイド７と裏面用位置決めガイド８とからなるものであり、表面用位置決めガイド７には、両面テープの貼り付け位置、スマートフォンのホームボタンおよびスピーカーの位置および形状を示す線が表示されており、裏面用位置決めガイド８には、両面テープの貼り付け位置、スマートフォンのカメラレンズの位置および形状を示す線が表示されている。それゆえ、上記実施形態のスマートフォンの保護フィルムセットによれば、スマートフォンの表面のみならず、裏面にも、衝撃吸収フィルム１を容易にかつ綺麗に貼り付けることができる。また、表面用位置決めガイド７と裏面用位置決めガイド８とは、表示されている線が異なるので、衝撃吸収フィルム１を表裏間違えて貼ってしまう事態を防止することができる。
【００３０】
さらに、上記実施形態のスマートフォンの保護フィルムセットは、衝撃吸収フィルム１が、ＰＥＴからなる衝撃吸収層の表面にハードコート層を積層し、裏面にシリコンからなる粘着層を積層したものであるため、衝撃吸収フィルム１が衝撃吸収層によって効果的に衝撃を吸収する上、ハードコート層によって摩擦による損傷を低く抑えることができる。その上、衝撃吸収フィルム１をスマートフォンの外周に貼り付ける際に、シリコンからなる粘着層の自己吸着機能によって、存在する気泡を一定時間内に消失させて綺麗な貼り付け状態を提供することができる。
【００３１】
加えて、上記実施形態のスマートフォンの保護フィルムセットは、フィルム積層体５の少なくとも一端に、切り離し可能なハンドル部６，６が付加されているため、スマートフォンの外周に衝撃吸収フィルム１を貼る際に、ハンドル部６，６を持ちながら（衝撃吸収フィルム１に触れることなく）作業を行うことができるため、衝撃吸収フィルム１にゴミや指紋を付着させず、より綺麗な貼り付け状態を提供することができる。
【００３２】
＜スマートフォンの保護フィルムセットの変更例＞
本発明に係るスマートフォンの保護フィルムセットの構成は、上記した実施形態の態様に限定されるものではなく、フィルム積層体（衝撃吸収フィルム、表面保護シート、接着面保護シート）、位置決め用ガイドの素材、形状、層構造等の構成を、本発明の趣旨を逸脱しない範囲で、必要に応じて適宜変更することができる。
【００３３】
たとえば、衝撃吸収フィルム、保護フィルム、位置決め用ガイドの素材は、ＰＥＴに限定されず、ウレタン、ナイロン、塩化ビニル、ポリオレフィン等に変更することも可能である。また、衝撃吸収フィルム、保護フィルム、位置決め用ガイドの素材は、同一である必要はなく、異ならせることも可能である。また、衝撃吸収フィルムにフッ素をコーティングすることによってスマートフォンの液晶画面の操作性を向上させることも可能であるし、衝撃吸収フィルムとしてマットフィルムを用いることによって、液晶画面への蛍光灯や太陽光の映り込みを低減したアンチグレアタイプにすることも可能である。
【００３４】
一方、位置決め用ガイドは、上記実施形態の如く、表面用位置決め用ガイドと裏面用位置決め用ガイドとが別個になったものに限定されず、表面用位置決め用ガイドおよび裏面用位置決め用ガイドに印刷された２種類の線を一枚のフィルムに印刷したものでも良い。
【産業上の利用可能性】
【００３５】
本発明に係るスマートフォンの保護フィルムセットは、上記の如く優れた効果を奏するものであるので、衝撃吸収フィルムを誰でも容易にスマートフォンの外周に貼り付けることが可能な保護フィルムセットとして好適に用いることができる。
【符号の説明】
【００３６】
１・・衝撃吸収フィルム
２・・位置決め用ガイド
３・・表面保護シート（保護シート）
４・・接着面保護シート（保護シート）
５・・フィルム積層体
６・・ハンドル部
７・・表面用位置決めガイド
８・・裏面用位置決めガイド
【図１】
2016208138.tif 000003
【図２】
2016208138.tif 000004
【図３】
2016208138.tif 000005